(57)【要約】【課題】確実に反りを抑制することができる戸体を提供する。【解決手段】少なくとも一対の縦枠（２１、２２）及び少なくとも一対の横枠（２３、２４）と、を四方枠組みされた枠体と、該枠体の少なくとも一面に設けられる少なくとも一つの面材（２５、２６）と、を備える戸体（２０）であって、一対の縦枠又は一対の横枠間に掛け渡される補強芯材（３０）を有し、補強芯材は、面材の一面の少なくとも一部において離間させた。【選択図】図４
2014034863.tif 000002
【特許請求の範囲】
【請求項１】
少なくとも一対の縦枠及び少なくとも一対の横枠と、を四方枠組みされた枠体と、該枠体の少なくとも一面に設けられる少なくとも一つの面材と、を備える戸体であって、
前記一対の縦枠又は前記一対の横枠間に掛け渡される補強芯材を有し、
前記補強芯材は、前記面材の一面の少なくとも一部において離間させた、戸体。
【請求項２】
前記補強芯材が、前記戸体の中央部において前記面材と離間させて配置した請求項１に記載の戸体。
【請求項３】
前記戸体の端部における前記面材と前記補強芯材との間隔に対し、前記戸体の中央部における面材と前記補強芯材との間隔の方が離れている請求項１又は２に記載の戸体。
【請求項４】
前記面材は、前記四方枠組みされた枠体の他面にも配置され、前記補強芯材が、前記枠体の他面に配置された面材の少なくとも一部に接しないで設けられる請求項１乃至３のいずれか１項に記載の戸体。
【請求項５】
前記補強芯材の少なくとも一端が折り曲げられて端部が形成されており、該端部を前記縦枠又は前記横枠に固定した請求項１乃至４のいずれか１項に記載の戸体。
【請求項６】
建物の開口部に配置される開口部用枠体と、該開口部用枠体内に開閉可能に配置される請求項１乃至５のいずれか１項に記載の戸体と、を有する開口部装置であって、前記補強芯材が、室内側に配置される前記面材から離間して配置される開口部装置。
【発明の詳細な説明】
【技術分野】
【０００１】
本発明は住宅や公共施設等の建物の開口部に配置される防火性に優れた戸体、及び当該戸体が用いられた開口部装置に関する。
【背景技術】
【０００２】
建物の重要な機能の１つとして防火性能が挙げられる。防火性能を高めることにより、建物の内側又は外側からの火炎や煙がその反対側へ侵入することを防止し、又は遅らせることができ、被害の拡大を抑えることが可能となる。当該防火性能の向上は建物を構成する各種要素の技術により実現される。すなわち、建物の開口部に配置されている開口部装置にも防火性向上の技術の適用が求められている。
【０００３】
開口部装置に備えられる戸体は、例えば玄関ドア等に用いられているが、複数の長尺の枠材が枠組みして形成され、その枠組みの表裏のそれぞれに板状の面材が配置されて構成されている。このような戸体では、火災等により一方側の面材が加熱されたときに、加熱された側の面材と、これとは反対側の面材と、で温度差が生じて戸体が反ってしまう問題があった。
このような戸体の反りは、戸体が閉鎖の姿勢であるにもかかわらず、一部に開口部を連通してしまう隙間を生じ、火炎や煙が他方側に通過してしまう不具合の原因となる。
【０００４】
このような反りを防止する観点から、特許文献１には戸体の上下枠材を渡すように縦方向に補強芯材（中骨）を設置することが開示されている。
【先行技術文献】
【特許文献】
【０００５】
【特許文献１】特開２０１１−１９６０８３号公報
【発明の概要】
【発明が解決しようとする課題】
【０００６】
しかしながら、特許文献１等のような補強芯材を備える従来の戸体では、火災等による上記のような表裏の面材の温度差に加え、補強芯材自身にも見込方向に温度差を生じてしまっていた。
補強芯材の見込方向に大きな温度差を生じると反りの原因の１つとなり、本来戸体の反りを抑制するはずの補強芯材がその機能を発揮できないことがあった。
【０００７】
そこで本発明は、上記の問題点に鑑み、確実に反りを抑制することができる戸体を提供することを課題とする。また、該戸体を用いた開口部装置を提供する。
【課題を解決するための手段】
【０００８】
以下、本発明について説明する。ここではわかりやすさのため、括弧書きにて図面の参照符号を付して表すが、本発明はこれに限定されることはない。
【０００９】
請求項１に記載の発明は、少なくとも一対の縦枠（２１、２２）及び少なくとも一対の横枠（２３、２４）と、を四方枠組みされた枠体と、該枠体の少なくとも一面に設けられる少なくとも一つの面材（２５、２６）と、を備える戸体（２０）であって、一対の縦枠又は一対の横枠間に掛け渡される補強芯材（３０）を有し、補強芯材は、面材の一面の少なくとも一部において離間させた、戸体である。
【００１０】
請求項２に記載の発明は、請求項１に記載の戸体（２０）において、補強芯材（３０）が、戸体（２０）の中央部において面材と離間させて配置した。
【００１１】
請求項３に記載の発明は、請求項１又は２に記載の戸体（２０）において、戸体の端部における面材（２５、２６）と補強芯材（３０）との間隔に対し、戸体の中央部における面材と補強芯材との間隔の方が離れている。
【００１２】
請求項４に記載の発明は、請求項１乃至３のいずれか１項に記載の戸体（２０）において、面材（２５、２６）は、四方枠組みされた枠体の他面にも配置され、補強芯材（３０）が、枠体の他面に配置された面材の少なくとも一部に接しないで設けられる。
【００１３】
請求項５に記載の発明は、請求項１乃至４のいずれか１項に記載の戸体（２０）において、補強芯材（３０）の少なくとも一端が折り曲げられて端部が形成されており、該端部を縦枠（２１、２２）又は横枠（２３、２４）に固定した。
【００１４】
請求項６に記載の発明は、建物の開口部に配置される開口部用枠体（１１）と、該開口部用枠体内に開閉可能に配置される請求項１乃至５のいずれか１項に記載の戸体（２０）と、を有する開口部装置（１０）であって、補強芯材（３０）が、室内側に配置される面材から離間して配置される開口部装置である。
【発明の効果】
【００１５】
本発明の戸体、開口部装置によれば、火災等により一方側が加熱されるような状況でも、戸体に生じる反りを確実に抑制することができる。
【図面の簡単な説明】
【００１６】
【図１】１つの実施形態を説明する図で、開口部装置１０の室外側正面図である。
【図２】図１のうち戸体について示した図である。
【図３】図２のＩＩＩ−ＩＩＩ線に沿った断面図である。
【図４】図２のＩＶ−ＩＶ線に沿った断面図である。
【図５】横枠と補強芯材との連結部を表した斜視図である。
【発明を実施するための形態】
【００１７】
本発明の上記のような作用及び利得は、次に説明する発明を実施するための形態から明らかにされる。以下本発明を図面に示す実施形態に基づき説明する。ただし、本発明はこれら実施形態に限定されるものではない。
【００１８】
図１は、１つの実施形態を説明する図で、開口部装置１０を室外側正面から見た図である。図２は、図１のうち戸体２０のみを表し、図３は図２にＩＩＩ−ＩＩＩで示した線に沿った断面図、図４は図２にＩＶ−ＩＶで示した線に沿った断面図である。
図２では一部の部材を透視して破線で示している。図３、図４では断面図のうち、その両端部に注目して示し、その間の一部は省略している。また、図３は紙面下が室外側、紙面上が室内側、図４は紙面左が室外側、紙面右が室内側である。
ここで、各図では見易さのため、一部の部材を省略したり、部材を誇張して大きく記載したりする等、変形して示す場合がある。
【００１９】
開口部装置１０は、開口部用枠体１１、及び戸体２０を備えている。本実施形態では戸体２０は蝶番１６により開口部用枠体１１の矩形枠内に開閉可能に固定されている。
ここで、開口部用枠体１１は建物の開口部の縁に沿って配置され、縦枠１２、１３、及び横枠１４、１５が四方枠組みして構成されている。このような開口部用枠体１１の構造、及び該開口部用枠体１１への蝶番１６による戸体２０の取付構造は公知の通りである。
【００２０】
戸体２０は、正面視長方形で所定の厚さ（見込寸法）を有する全体として板状の部材であり、図２〜図４によく表れているように、縦枠２１、２２、横枠２３、２４、面材２５、２６、及び補強芯材３０を備えている。以下各構成部材について説明する。
【００２１】
縦枠２１、２２、横枠２３、２４は、図２からわかるようにいずれも長尺の枠材である。縦枠２１、２２、横枠２３、２４は、図３、図４にその断面が表れているように、いずれも、戸体の見込方向（厚さ方向）に延びる片と、戸体の見付方向（面方向）のうち互いに向かい合う方向に延びる片と、を有して断面視コ字形状に形成されている。より具体的には、縦枠２１、２２、横枠２３、２４は、それぞれ見込片２１ａ、２２ａ、２３ａ、２４ａ、一方側の見付片２１ｂ、２２ｂ、２３ｂ、２４ｂ、及び他方側の見付片２１ｃ、２２ｃ、２３ｃ、２４ｃを具備して形成されている。
このような縦枠２１、２２、及び横枠２３、２４は、図２のように四方枠組みして枠体を形成するように配置されている。
【００２２】
面材２５、２６は金属製、例えば、鋼板の板状の部材である。面材２５、２６は四方枠組みして枠体を形成する縦枠２１、２２及び横枠２３、２４の見付面側からこれらを覆うように被せて配置される。面材２５、２６は、その周縁部を直角に折り曲げ、折り曲げた部位２５ａ、２５ｂ、２５ｃ、２５ｄ、２６ａ、２６ｂ、２６ｃ、２６ｄを、縦枠２１、２２、横枠２３、２４のそれぞれの見込片２１ａ、２２ａ、２３ａ、２４ａに固定することで組み上げられる。
【００２３】
補強芯材３０は、長尺の板材である。補強芯材３０は、その板面が、例えば、見込面と平行となるように横枠２３、２４間を渡すように配置される。図５には、補強芯材３０と横枠２３との連結部位に注目した斜視図を示した。詳しくは、補強芯材３０の長手方向両端部が図４、図５に示したように見付方向に折り曲げられて端部が形成され、折り曲げられた部位３０ａ、３０ｂの面が例えば、横枠２３、２４の見込片２３ａ、２４ａにビス等の固定部材で固定される。
【００２４】
ここで、図３、図４からわかるように、本実施形態における補強芯材３０は、その見込方向端部のうち、面材２５側の端部は面材２５と間隙を有する。一方、本実施形態では補強芯材３０の見込方向端部のうち、面材２６側の端部は面材２６に接触して面材２６に接着剤により接着されている。
【００２５】
このような補強芯材３０が横枠２３、２４を渡して固定されており、これにより戸体の反りを抑制する。
さらに、本発明では、補強芯材の見込方向のうち少なくとも一方が面材から離して配置される。本実施形態では図４にＡで示したように補強芯材３０の少なくとも中央部において、見込方向一端と面材２５との間に間隙が形成されている。これにより補強芯材３０が面材２５からの熱の影響を受け難くなる。
従って火災等で戸体表面が加熱されても補強芯材に伝達され難くなり、その結果見込方向に温度差を生じ難くなるため、温度差に起因する戸体の反りの発生を抑制することができる。従来の補強芯材は見込方向一端が一方の面材に固着され、見込方向他端が他方の面材に固着されていた。従って補強芯材の見込方向一端と他端がそれぞれの面材からの影響を受けて温度差が生じ、これにより反りを生じることがあった。これに対して本発明よれば、上記したように補強芯材の見込方向で少なくとも一方の面材からの影響を大きく減じることができるので、反りの原因となる温度差を抑制することが可能となる。
【００２６】
補強芯材は、温度差を生じ難くする観点からは補強芯材の見込方向ができるだけ小さい方が好ましいが、補強芯材として強度は見込方向が大きい方が有利なので、両者のバランスを考慮して適宜設計することができる。本実施形態では、補強芯材３０の見込方向の大きさは、最も小さい部位で２つの面材２５、２６間の概ね半分としている。
ただし、補強芯材の長手方向両端部は、戸体の反りを確実に抑制するために横枠に強固に連結する必要があることから、見込方向を大きくすることが好ましい。本実施形態でも、図４、図５からわかるように補強芯材３０の長手方向両端部では見込方向が大きくなるように段差がつけられている。
本実施形態では、当該段差が斜めテーパ状に形成されているが、これに限定されることなく、円弧状や直角の段差であってもよい。
【００２７】
また、本実施形態では補強芯材の見込方向のうち一方側の端部のみに面材と間隙を設ける例を示したが、これに限らず、補強芯材の見込方向両端について面材と間隙を設けるように構成してもよい。これによれば、補強芯材がさらに外部からの熱の影響を受け難くなり、補強芯材の見込方向の温度差、すなわち反りの発生を抑えることができる。
【００２８】
補強芯材の材質は反りを抑制する観点から、高温に晒されても強度を維持する材料であることが好ましい。具体的には金属が好ましく、その中でも鉄系の金属であることが好ましい。
【００２９】
補強芯材が配置される位置は、特に限定されることはないが、吊元と戸先間では、戸先側に配置されることが好ましい。戸先は開口部用枠体に係合する部位が限られるので、吊元側に比べて反りが発生し易いからである。
また、補強芯材は必ずしも１つである必要はなく、補強芯材を吊元側から戸先側に所定の間隔で並べるように複数配置してもよい。
本実施形態では補強芯材を上下の横枠間を渡すように配置したが、これに限らず、左右の縦枠間を渡すように補強芯材を設けてもよい。
【００３０】
以上のような構成を備える戸体、及び該戸体を備える開口部装置により、火災時等に戸体の反りを抑制することができ、防火性に優れた戸体、開口部装置となる。
【符号の説明】
【００３１】
１０  開口部装置
１１  開口部用枠体
２０  戸体
２１、２２  縦枠
２３、２４  横枠
２５、２６  面材
３０  補強芯材
【図１】
2014034863.tif 000003
【図２】
2014034863.tif 000004
【図３】
2014034863.tif 000005
【図４】
2014034863.tif 000006
【図５】
2014034863.tif 000007